(57)【要約】【課題】  高拡大率でのＣＴ撮影が可能で、しかも短時間のＣＴ撮影により被検体の３次元情報を得ることができるとともに、被検体に対するＸ線被爆量を最小限に抑えることができ、例えば再生医療分野における動物実験棟に用いるのに適したＸ線ＣＴ装置を提供する。【解決手段】  コーンビーム状のＸ線を出力するＸ線源１と２次元Ｘ線検出器２を対向配置し、その間に被検体Ｗを保持する保持部（回転テーブル３等）を設るとともに、Ｘ線源１および２次元Ｘ線検出器２の対と保持部３とを相対回転させる手段を備えたＸ線ＣＴ装置において、相対回転中心軸ＲとＸ線源１および２次元Ｘ線検出器２の対とのＸ線光軸Ｌ方向への位置を変化させる撮影倍率変更機構（ｘｚステージ）４と、相対回転中心軸Ｒに対する保持部の位置を当該相対回転軸Ｒに直交する平面上で移動させる移動騎虎（ｘｙテーブル）５を設けるとともに、Ｘ線源１からのＸ線の照射領域を制限するシャッタ１１を設る。【選択図】  図１
2006105787.tif 000002
【特許請求の範囲】
【請求項１】
コーンビーム状のＸ線を発生するＸ線源と、そのＸ線源に対向配置された２次元Ｘ線検出器と、これらの間で被検体を保持する保持部と、その保持部に保持された被検体と上記Ｘ線源および２次元Ｘ線検出器の対とをＸ線光軸に直交する回転軸の回りに相対回転させる回転駆動手段と、その回転駆動手段により上記Ｘ線源および２次元Ｘ線検出器の対と被検体との間に相対回転を与えつつその微小回転角度ごとに取り込んだ上記２次元Ｘ線検出器の出力を用いて、上記回転軸に直交する複数の面に沿った被検体の断層像を再構成する再構成演算手段を備えたＸ線ＣＴ装置において、
上記Ｘ線源および２次元Ｘ線検出器の対と上記相対回転中心軸との位置関係を少なくとも上記Ｘ線光軸方向に変化させる撮影倍率変更機構と、上記相対回転中心軸に対する保持部の位置を少なくとも当該相対回転中心軸に直交する平面上で互いに直交する２軸方向に移動させる移動機構と、高速スキャンにより採取した被検体のＸ線透過データを用いて、選択されたスライス面に沿った予備断層像を再構成する高速スキャンＣＴ撮影手段と、上記Ｘ線源と保持部の間に設けられ、上記回転駆動手段による相対回転中心軸およびＸ線光軸の双方に直交する方向に互いに逆向きに移動してＸ線の照射領域を上記２次元Ｘ線検出器の当該方向への有効視野幅の中心を挟んだ所定領域に制限する一対のシャッタを備えていることを特徴とするＸ線ＣＴ装置。
【請求項２】
上記Ｘ線源と保持部の間に設けられ、上記相対回転中心軸に沿う方向に互い逆向きに移動してＸ線の照射領域を上記２次元Ｘ線検出器の当該方向への有効視野幅の中心を挟んだ領域に制限する一対の第２のシャッタを備えているとともに、上記高速スキャンＣＴ撮影手段に代えて、上記第２のシャッタにより選択されたスライス面に相当する領域近傍にのみＸ線を照射して得られるＸ線透過データを用いて予備断層像を再構成する予備ＣＴ撮影手段を備えていることを特徴とする請求項１に記載のＸ線ＣＴ装置。
【発明の詳細な説明】
【技術分野】
【０００１】
本発明はＸ線ＣＴ装置関し、更に詳しくは、コーンビーム状のＸ線を用いたいわゆるコーンビームＣＴ装置で、特に小動物の断層像撮影に適したＸ線ＣＴ装置に関する。
【背景技術】
【０００２】
近年、再生医療が注目を集めている。再生医療は、患者の細胞のうち増殖機能のある細胞を外部で培養していろいろな人体組織を成長させ、最終的には患者に移植しようとするものであり、特に骨に関する再生医療等の研究が盛んで、注目を集めている。
【０００３】
骨の再生としては、その骨の基礎となる物質と、患者本人の例えば骨髄細胞を培養することで、その物質周辺に骨髄細胞を骨芽細胞として成長させる手法が知られるようになった。この手法によって、人工骨に代えて、免疫反応を心配せずに本人の骨を再生することが可能となってきた。
【０００４】
しかしながら、体内に埋め込む材料や、成長を促進するための添加物、薬品などの条件を最適化して人体に応用するためには、多くの条件で動物実験を重ねることが不可欠となっている。この場合、マウスを使った実験が一般的であるが、骨の成長の途中過程は解剖しないと得られない。そのため、同一条件で複数のマウスを用意し、成長過程で順番に解剖して経過を観察している。このような実験によると、解剖の手間が半端ではないなど、多大な工数と費用が必要である。
【０００５】
このようなことから、マウスを生かしたまま骨の成長の様子を観察したいという要求がある。また、その場合、できるだけ高分解能で骨の周辺の軟組織をも含めて観察したいという要求もある。
【０００６】
小動物の断層像を撮影するＸ線ＣＴ装置としては、従来、被検体の回りをＸ線源とＸ線検出器の対が回転する構造の、いわゆるガントリー方式の医療用ＣＴ装置を小型化したものが知られている（例えば特許文献１参照）。
【特許文献１】特開２００４−１２１２８９号公報
【発明の開示】
【発明が解決しようとする課題】
【０００７】
ところで、上記した医療用のＣＴ装置を小型化した従来の小動物用のＸ線ＣＴ装置は、基本的にファンビーム状のＸ線を用いたＣＴ装置であり、一定の回転中心軸の回りを回転するガントリーに対してＸ線源とＸ線検出器を移動可能とすることによって、撮影倍率を可変とする構造の採用が見られるものの、前記したマウスの骨の成長をその周辺の軟組織をも含めて観察するという要求を満足することは難しい。すなわち、ファンビーム状のＸ線を用いて行うＣＴ撮影では、基本的には１回のＣＴ撮影により１枚の断層像しか得ることができない。骨の成長と周辺の軟組織をも含めた観察には、被検体の所要部位における３次元情報を高い分解能のもとに得る必要があり、ファンビーム状のＸ線を用いたＣＴ撮影では、１回のＣＴ撮影における被検体のＸ線被曝量は少ないものの、３次元情報を得るためには多数回のＣＴ撮影が必要であり、結局、被検体は相当のＸ線を被曝するばかりでなく、撮影に要する時間が長くなるという問題がある。
【０００８】
これに対し、産業用のＸ線ＣＴ装置においては、Ｘ線源とＸ線検出器の間に、被検体を搭載して回転を与える回転テーブルを配置し、その回転テーブルをＸ線源とＸ線検出器の間で任意に移動させることができる構造を採るため、試料（被検体）の大きさには依存するものの、撮影倍率を広範囲に変更することができる。また、産業用のＸ線ＣＴ装置のうち、コーンビーム状のＸ線を発生するＸ線源と２次元Ｘ線検出器を用いた、いわゆるコーンビームＣＴ装置にあっては、一度のＣＴ撮影で多数の断層像を再構成することができるため、短い撮影時間のもとに被検体の３次元情報が得られるという利点がある。しかしながら、産業用のＸ線ＣＴ装置においては、試料に照射するＸ線量を必要最小限に抑えようとする配慮はなされていない。
【０００９】
前記した再生医療の動物実験におけるマウスを生かしたまま骨の成長を観察すべく、Ｘ線ＣＴ撮影を行う場合に問題となるのは、被曝線量である。骨芽細胞はがん細胞と同様に自己増殖機能がある。放射線ががんの治療に使われるように、Ｘ線をはじめとする放射線はこの自己増殖機能に影響を与えるため、できるだけＸ線の照射を抑える必要がある。このことから、従来の産業用のＸ線ＣＴ装置を用いるには問題がある。
【００１０】
本発明はこのような実情に鑑みてなされたもので、高拡大率でのＣＴ撮影が可能で、しかも短時間のＣＴ撮影により被検体の３次元情報を得ることができるとともに、被検体に対するＸ線被爆量を最小限に抑えることができ、もって再生医療の分野における動物実験等に用いるのに適したＸ線ＣＴ装置の提供をその課題としている。
【課題を解決するための手段】
【００１１】
上記の課題を解決するため、本発明のＸ線ＣＴ装置は、コーンビーム状のＸ線を発生するＸ線源と、そのＸ線源に対向配置された２次元Ｘ線検出器と、これらの間で被検体を保持する保持部と、その保持部に保持された被検体と上記Ｘ線源および２次元Ｘ線検出器の対とをＸ線光軸に直交する回転軸の回りに相対回転させる回転駆動手段と、その回転駆動手段により上記Ｘ線源および２次元Ｘ線検出器の対と被検体との間に相対回転を与えつつその微小回転角度ごとに取り込んだ上記２次元Ｘ線検出器の出力を用いて、上記回転軸に直交する複数の面に沿った被検体の断層像を再構成する再構成演算手段を備えたＸ線ＣＴ装置において、上記Ｘ線源および２次元Ｘ線検出器の対と上記相対回転中心軸との位置関係を少なくとも上記Ｘ線光軸方向に変化させる撮影倍率変更機構と、上記相対回転中心軸に対する保持部の位置を少なくとも当該相対回転中心軸に直交する平面上で互いに直交する２軸方向に移動させる移動機構と、高速スキャンにより採取した被検体のＸ線透過データを用いて、選択されたスライス面に沿った予備断層像を再構成する高速スキャンＣＴ撮影手段と、上記Ｘ線源と保持部の間に設けられ、上記回転駆動手段による相対回転中心軸およびＸ線光軸の双方に直交する方向に互いに逆向きに移動してＸ線の照射領域を上記２次元Ｘ線検出器の当該方向への有効視野幅の中心を挟んだ所定領域に制限する一対のシャッタを備えていることによって特徴づけられる（請求項１）。
【００１２】
ここで、本発明においては、上記のシャッタに加えて、上記Ｘ線源と保持部の間に設けられ、上記相対回転中心軸に沿う方向に互い逆向きに移動してＸ線の照射領域を上記２次元Ｘ線検出器の当該方向への有効視野幅の中心を挟んだ領域に制限する一対の第２のシャッタを備えているとともに、上記高速スキャンＣＴ撮影手段に代えて、上記第２のシャッタにより選択されたスライス面に相当する領域近傍にのみＸ線を照射して得られるＸ線透過データを用いて予備断層像を再構成する予備ＣＴ撮影手段を備えた構成（請求項２）を好適に採用することができる。
【００１３】
本発明は、コーンビーム状のＸ線を発生するＸ線源と２次元Ｘ線検出器の対と、相対回転中心軸との位置関係を少なくともＸ線光軸方向に変化させる撮影倍率変更機構を設けるた構成を採用することにより、高い倍率のもとにＣＴ撮影が可能で、かつ、１回の撮影により被検体の３次元情報を得ることを可能としながら、シャッターにより被検体のＸ線被爆量を可及的に少なくすることで、課題を解決しようとするものである。
【００１４】
すなわち、請求項１に係る発明においては、Ｘ線光軸および回転軸の双方に直交する方向に接近／離隔して開閉するシャッターを設けるとともに、高速スキャンにより採取した被検体のＸ線透過データを用いて、選択されたスライス面に沿った予備断層像を再構成する高速スキャンＣＴ撮影手段を備える。
【００１５】
この構成により、被検体上の注目領域の３次元ＣＴ撮影を行うに当たっては、まず、予備作業として、注目領域を横切るように選択したスライス面の断層像を高速スキャンＣＴ撮影により行い、その断層像を見て注目領域、つまり以下のＣＴ撮影により３次元情報を得ようとする領域を設定して、その注目領域がＸ線光軸上に位置するように移動機構を操作した後、注目領域を除く部分へのＸ線照射を制限するようにシャッタを位置決めしたうえで、ＣＴ撮影を行う。これにより、短い撮影時間と、被検体に対する少ないＸ線被爆量のもとに、被検体の所要部位の３次元情報を得ることができる。
【００１６】
また、請求項２に係る発明のように、上記したシャッタに加えて、相対回転中心軸に沿う方向に互いに移動してＸ線の照射領域を制限する第２のシャッタを設けることにより、請求項１に係る発明において注目領域を設定するための断層像を得る予備的作業としての高速スキャンＣＴ撮影を行わずに、第２のシャッタの位置決めにより、注目領域を横切るように実質的にファンビーム状にＸ線照射領域を制限した状態で予備的ＣＴ撮影を行って断層像を得て、その断層像を見て注目領域を設定し、上記と同様にその注目領域が相対回転中心軸上に位置するように移動機構を操作た後、注目領域を除く部分へのＸ線照射を制限するようにシャッタおよび第２のシャッタを位置決めしたうえで、ＣＴ撮影を行う。これにより、短い撮影時間と、請求項１に係る発明の場合に比して被検体に対するより少ないＸ線被爆量のもとに、被検体の所要部位の３次元情報を得ることができる。
【発明の効果】
【００１７】
本発明によれば、従来の小動物用のＸ線ＣＴ装置に比して、より短い撮影時間のもとに、また、被検体に対して可及的に少ないＸ線被曝量のもとに、被検体上の注目領域の３次元情報を得ることができる。その結果、例えば再生医療におけるマウスを用いた動物実験において、マウスを生かしたまま骨の成長とその周辺の軟組織の観察等を行うことなどが可能となる。
【発明を実施するための最良の形態】
【００１８】
以下、図面を参照しつつ本発明の実施の形態について説明する。図１は本発明の実施の形態の構成図で、機械的構成を表す模式図とシステム構成を表すブロック図とを併記して示す図である。
【００１９】
コーンビーム状のＸ線を出力するＸ線源１に対向して２次元Ｘ線検出器２が配置されており、これらの間に、被検体Ｗを鉛直方向に沿った回転軸中心軸Ｒを中心として回転させるための回転テーブル３が配置されている。この回転テーブル３は、その全体がＸ線源１からのＸ線光軸Ｌの方向（ｘ軸方向）と、回転中心軸Ｒに沿った方向（ｚ軸方向）に移動するｘｚステージ４の上に搭載されており、このｘｚステージ４をｘ軸方向に移動させることによって、撮影倍率を変更できるようになっている。また、この回転テーブル３の上には、被検体Ｗを搭載して回転中心軸Ｒに直交する平面、つまりｘ−ｙ平面上で互いに直交する方向に移動させるｘｙテーブル５が配置されている。
【００２０】
Ｘ線源１は高電圧発生装置２１から供給される管電流・管電圧に応じたＸ線を発生するが、この高電圧発生装置２１はＸ線コントローラ２２によって駆動制御され、このＸ線コントローラ２２はパーソナルコンピュータ２３の制御下に置かれている。そしてこのＸ線源１には、Ｘ線の照射領域を制限するための第１のシャッタ１１と第２のシャッタ１２が装着されている。これらの各シャッタ１１，１２は、それぞれのアクチュエータ（図示せず）によってＸ線光軸Ｌを中心として互いに反対の向きに移動する２枚のシャッタ片１１ａと１１ｂ、および１２ａと１２ｂを有し、第１のシャッタ１１はＸ線光軸Ｌおよび回転中心軸Ｒの双方に直交するｙ軸方向に各シャッタ片１１ａ，１１ｂが移動し、第２のシャッタ１２は、回転中心軸Ｒに沿ったｚ軸方向に各シャッタ片１２ａ，１２ｂが移動する。これらの第１および第２のシャッタ１１および１２のアクチュエータは、それぞれパーソナルコンピュータ２３の制御下に置かれている第１シャッタ駆動回路２４および第２シャッタ駆動回路２５から供給される駆動信号によって駆動制御される。
【００２１】
前記した回転テーブル３、ｘｚステージ４およびｘｙテーブル５は、それぞれパーソナルコンピュータ２３の制御下に置かれている回転テーブル駆動回路２６、ｘｚステージ駆動回路２７およびｘｙテーブル駆動回路２８から供給される駆動信号によって駆動制御される。
【００２２】
また、前記した２次元Ｘ線検出器２の出力は、ＣＴ画像再構成演算装置２９に取り込まれ、このＣＴ画像再構成演算装置２９では、被検体Ｗの３６０°分のＸ線透過データを用いて、回転中心軸Ｒに直交する平面でスライスした複数の断層像を構築し、表示器３０に表示する。また、この表示器３０は、パーソナルコンピュータ２３からの指令により、２次元Ｘ線検出器２からのライブ画像、つまり被検体ＷのＸ線透視像を表示することもできる。
【００２３】
パーソナルコンピュータ２３には、マウスやキーボード、あるいはジョイスティック等を含む操作部３１が接続されており、この操作部３１を操作することによって、回転テーブル３、ｘｚステージ４、ｘｙテーブル５、第１のシャッタ１１、第２のシャッタ１２等を随意に駆動することができる。
【００２４】
次に、以上の本発明の実施の形態の操作手順の例について述べる。
まず、図１に示すように、ｘｙテーブル５の上に被検体Ｗを載せる。この例では、マウスを被検体Ｗとし、その被検体Ｗをプラスチックの筒６に立位の状態で収容してｘｙテーブル５に載せている。その状態でＸ線を照射して、図２に例示するように被検体ＷのＸ線透視像を表示器３０に表示する。オペレータはこの被検体ＷのＸ線透視像を見ながら、ｘｚステージ４をＸ線光軸Ｌ方向（ｘ軸方向）に移動させることによって、撮影倍率を決める。
【００２５】
次に、オペレータは、図２に示す被検体ＷのＸ線透視像上で、注目すべき領域を上下の境界をライン状の２本のカーソルＣ１，Ｃ２によって設定する。この設定により、パーソナルコンピュータ２３は、これらのカーソルＣ１，Ｃ２の上下方向中心が表示器３０の画面の上下方向中心に位置するように、従ってＸ線光軸Ｌ上に位置するように、ｘｚステージ４をｚ軸方向に昇降させ、かつ、第２のシャッタ１２を駆動して、図３にＸ線源１の正面図を模式的に示すように、Ｘ線源１からのコーンビーム状のＸ線のうち、Ｘ線光軸Ｌを中心として上下に狭い範囲のみを残して他の領域のＸ線の照射を制限する。これにより、Ｘ線源１からのＸ線は実質的にファンビーム状となり、被検体ＷにはカーソルＣ１，Ｃ２の上下方向中心に相当する部位にのみＸ線が照射される状態となる。この状態で回転テーブル３を回転させてＣＴ撮影し、被検体ＷのカーソルＣ１，Ｃ２の上下方向中心に相当する部位における図４に例示するような１枚の断層像を得て、表示器３０に表示する。
【００２６】
次に、オペレータは、表示器３０に表示された断層像上で、図４に示すように、例えば円状のカーソルＣ３によって注目領域を設定する。この例では脊椎の周囲を注目領域として設定している。この注目領域Ｃ３の設定により、パーソナルコンピュータ２３は、ｘｙテーブル５をｙ軸方向に駆動して、注目領域Ｃ３の中心に相当する被検体Ｗの部位をＸ線光軸Ｌ上に一致させると同時に、第１のシャッタ１１を駆動して、Ｘ線の照射領域が注目領域Ｃ３以外のｙ軸方向へのＸ線の照射を制限する。この状態を図５に断層像を用いて概念的に示す。また、第２のシャッタ１２を昇降して、先にカーソルＣ１，Ｃ２で設定したｚ軸方向への注目領域の境界のｚ軸方向外側へのＸ線の照射を制限する。この状態で回転テーブル３を回転させ、ＣＴ撮影（コーンビームＣＴ）を行う。
【００２７】
以上の手順により、注目領域の３次元情報を表す複数枚の断層像が得られる。そして、このような注目領域の３次元情報を表す複数枚の断層像を得るために被検体Ｗに照射されるＸ線は、最初の予備的な１枚の断層像を得るための実質的にファンビーム状のＸ線と、注目領域近傍のみに制限されたコーンビーム状のＸ線であり、可及的に少ないＸ線被爆量のもとに注目領域の３次元情報を得ることができ、例えば再生医療における動物実験において、マウスを生かしたまま骨の成長とその周辺の軟組織の観察等を行うことを可能とすることができる。
【００２８】
ここで、以上の実施の形態においては、ｚ軸方向に移動する第２のシャッタ１２を設けて、予備的な１枚の断層像を得るに際してこの第２のシャッタ１２によりＸ線を実質的にファンビーム状としてＣＴ撮影を行ったが、第２のシャッタ１２を設けず、予備的な断層像を得るに際してコーンビーム状のＸ線を用いた高速スキャンＣＴ撮像を行い、得られたＸ線透視データのうち、選択されたスライス面で切断した１枚の断層像を得てもよい。この場合、予備的なＣＴ撮像において被検体Ｗにはその全身にＸ線が照射されることになるが、高速スキャンの採用によりＸ線の被爆量を少なくすることができる。また、第２のシャッタ１２を設けない場合には、最終的なＣＴ撮影（コーンビームＣＴ）に際してもｚ軸方向へのＸ線照射の制限がなくなるが、第１のシャッタ１１によるｙ軸方向への制限により、従来に比してＸ線の被曝量を少なくすることができる。
【００２９】
また、以上の実施の形態においては、Ｘ線源とＸ線検出器の間に被検体を回転させる回転テーブルを設けた例を示したが、Ｘ線源とＸ線検出器を共通のフレームに支持した状態で、そのフレームを被検体の保持部を中心として回転させる、いわゆるガントリー方式のＸ線ＣＴ装置にも本発明を適用することができる。その例を図６に要部斜視図で示す。
【００３０】
この図６の例においては、Ｘ線源６１とＸ線検出器６２を共通のＣ型アーム６３に固定するとともに、そのＣ形アーム６３を回転機構６４によって回転中心軸Ｒの回りを回転させ、これによりＸ線源６１とＸ線検出器２の対を被検体Ｗの回りに回転させる。
【００３１】
Ｃ形アーム６３の内側、つまりＸ線源１とＸ線検出器２の間に被検体Ｗを保持するための保持部６５を配置している。この保持部６５には、被検体Ｗを互いに直交する３軸方向に移動させる機構を設けている。すなわち、回転中心軸Ｒに沿う方向をｚ軸、そのｚ軸に直交する平面上で互いに直交する方向をｘ，ｙ軸とすると、装置フレーム等に固定された保持部ベース６５ａに、ｙ軸方向に移動するｙ軸移動部６５ｂを支持するとともに、そのｙ移動部６５ｂに、ｘ，ｚ軸方向に移動するｘｚ軸移動部６５ｃを支持している。
【００３２】
Ｃ形アーム６３は、回転機構６４の回転中心軸Ｒに対してＸ線源６１とＸ線検出器６２の対向方向（Ｘ線光軸Ｌ方向）に移動させることができ、この移動により被検体Ｗの撮影倍率を変更することができる。
【００３３】
そして、Ｘ線源６１に、前記した実施の形態と同様、Ｘ線光軸Ｌを挟んで互いに逆向きに移動してＸ線の照射領域を制限する２枚のシャッタ片からなる第１のシャッタ７１および第２のシャッタ７２が設けられており、これらの各シャッタは、先の実施の形態と同様に、互いに直交する方向に移動する。すなわち、第２のシャッタ７２は回転中心軸Ｒの沿うｚ軸方向に移動し、第１のシャッタ７１はそれに直交する方向に移動する。
【００３４】
このような構成においても、先の例と同等の手順により、被検体Ｗの注目領域の３次元情報を得ることができる。すなわち、被検体ＷのＸ線透視像から撮影倍率の決定（この例の場合Ｃ形アーム６３の回転機構６４に対する移動）、同じくＸ線透視像上での注目領域のｚ軸方向への両側の境界の設定、その設定に基づきこれらの境界の中心をＸ線線光軸Ｌ上に位置させるべくｘｚ軸移動部６５ｃのｚ軸方向への自動移動と第２のシャッタ７２の駆動によるＸ線のファンビーム化、そのファンビーム状のＸ線を用いた予備的な１枚の断層像の撮影、その断層像上での注目領域を設定、その設定された注目領域がＸ線光軸Ｌ上に位置させるべくｙ軸移動部６４ｂの自動移動並びに第１のシャッタ７１の駆動による注目領域以外のｙ軸方向へのＸ線の照射の制限、第２のシャッタ７２の駆動による先に設定したｚ軸方向への境界外へのＸ線の照射の制限、その状態でのコーンビームＣＴ撮影の実行である。
【００３５】
以上の手順により、先の例と同様に、可及的に少ないＸ線被爆量のもとに注目領域の３次元情報を得ることができる。
【図面の簡単な説明】
【００３６】
【図１】本発明の実施の形態の構成図で、機械的構成を表す模式図とシステム構成を表すブロック図とを併記して示す図である。
【図２】本発明の実施の形態を用いた撮影手順の例の説明図で、表示器３０による被検体ＷのＸ線透視像上で注目領域を設定する仕方の例の説明図である。
【図３】同じく本発明の実施の形態を用いた撮影手順の例の説明図で、予備的な断層像を撮影する際の第２のシャッタ１２の位置の説明図である。
【図４】同じく本発意の実施の形態を用いた撮影手順の例の説明図で、表示器３０による予備的な断層像上で注目領域を設定する仕方の例の説明図である。
【図５】本発明の実施の形態によるコーンビームＣＴ撮影時におけるｘｙテーブル５の位置と第１および第２のシャッタ１１および１２によるＸ線の照射領域の制限の状態を表す概念図である。
【図６】本発明の他の実施の形態の要部構成図である。
【符号の説明】
【００３７】
１，６１  Ｘ線源
２，６２  Ｘ線検出器
３  回転テーブル
４  ｘｚステージ
５  ｘｙテーブル
１１，７１  第１のシャッタ
１２，７２  第２のシャッタ
２３  パーソナルコンピュータ
２９  ＣＴ画像再構成演算装置
３０  表示器
３１  操作部
６３  Ｃ形アーム
６４  回転機構
６５  保持部
６５ａ  保持部ベース
６５ｂ  ｙ軸移動部
６５ｃ  ｘｚ軸移動部
Ｌ  Ｘ線光軸
Ｒ  回転中心軸
Ｗ  被検体
【図１】
2006105787.tif 000003
【図２】
2006105787.tif 000004
【図３】
2006105787.tif 000005
【図４】
2006105787.tif 000006
【図５】
2006105787.tif 000007
【図６】
2006105787.tif 000008